(57)【要約】【課題】フォークリフトが当たっても、その衝撃で床面が割れたり抜け落ちない構造のガードポストを提供する。【解決手段】ガードポスト１１は、複数本のアンカー１２で床面１３に固定され上面の四隅にネジ部材１４が立設する第１プレート１５と、第１プレートの中央部の近傍に設けられる支点部材１６と、支点部材の上部に載置されると共にネジ部材に挿通する孔部を有する第２プレート１８と、第２プレートの上面に立設する柱状又は円柱状のガードポスト本体１９と、ネジ部材に挿通し第１プレートと第２プレートとの間に介在する下部スプリング２０と、ネジ部材に挿通し第２プレートの上部に設けられてナット２１で固着される上部スプリング２２とから構成される。【選択図】図１
2017210784.tif 000002
【特許請求の範囲】
【請求項１】
構築物の近傍に設置してフォークリフト等の車両の接触又は衝突による衝撃から当該構築物を守るガードポストであって、
該ガードポストは、
複数本のアンカーで床面に固定され少なくとも上面の四隅にネジ部材が立設する第１プレートと、
該第１プレートの中央部の近傍に設けられる支点部材と、
該支点部材の上部に載置されると共に前記ネジ部材に挿通する孔部を有する第２プレートと、
該第２プレートの上面に立設する柱状又は円柱状のガードポスト本体と、
前記ネジ部材に挿通し前記第１プレートと前記第２プレートとの間に介在する下部スプリングと、
前記ネジ部材に挿通し前記第２プレートの上部に設けられてナットで固着される上部スプリングと、から少なくともなり、
前記ガードポスト本体が衝撃を受けると、前記下部スプリングと前記上部スプリングとで衝撃力を吸収し、当該ガードポスト本体が前記支点部材を支点にして傾いた後に再び垂直に戻る構成であること
を特徴とするガードポスト。
【請求項２】
前記支点部材は、角鋼材であること
を特徴とする請求項１に記載のガードポスト。
【発明の詳細な説明】
【技術分野】
【０００１】
本発明は、フォークリフトやトラック等の車両が走行する物流センター、倉庫、工場等において、開口部や壁面等の構築物の近傍に設置して、車両の接触や衝突による衝撃から構築物を守るガードポストに関するものである。
【背景技術】
【０００２】
従来、この種のガードポストとしては、図５に示す構成のガードポスト１が知られている。このガードポスト１は、鋼板で形成されるベースプレート２の上部に鋼製で柱状のガードポスト本体３を溶接して一体に形成してなる。
【０００３】
このような構成のガードポスト１は、アンカーボルト４を用いてベースプレート２を床面５に固定して構築物の近傍に設置される。
【０００４】
なお、実用新案登録第３１６０８３０号公報には、ガードポールの固定装置が開示されており（特許文献１参照）、また、特開５−１１２９１４号公報には、弾力性のある緩衝材を設けたガードポールが開示されている（特許文献２参照）。
【先行技術文献】
【特許文献】
【０００５】
【特許文献１】実用新案登録第３１６０８３０号公報
【特許文献２】特開平５−１１２９１４号公報
【発明の概要】
【発明が解決しようとする課題】
【０００６】
この従来例のガードポスト１においては、ガードポスト本体３が一体に溶接されたベースプレート２を、アンカーボルト４で直に床面５へ固定しているので、フォークリフト等がガードポスト１に当たると、その衝撃でガードポスト１が曲がったり、傾いてコンクリートの床面５が割れることとなり、その結果、ガードポスト１が脱落するという問題点を有している。
【０００７】
従って、従来例におけるガードポスト１においては、フォークリフト等がガードポスト１に当たっても、その衝撃でガードポスト１が曲がったり、傾いて床面５が割れたり、脱落したりしない構造にすることに解決しなければならない課題を有している。
【課題を解決するための手段】
【０００８】
前記従来例の課題を解決するための本発明の要旨は、構築物の近傍に設置してフォークリフト等の車両の接触又は衝突による衝撃から当該構築物を守るガードポストであって、該ガードポストは、複数本のアンカーで床面に固定され少なくとも上面の四隅にネジ部材が立設する第１プレートと、該第１プレートの中央部の近傍に設けられる支点部材と、該支点部材の上部に載置されると共に前記ネジ部材に挿通する孔部を有する第２プレートと、該第２プレートの上面に立設する柱状又は円柱状のガードポスト本体と、前記ネジ部材に挿通し前記第１プレートと前記第２プレートとの間に介在する下部スプリングと、前記ネジ部材に挿通し前記第２プレートの上部に設けられてナットで固着される上部スプリングと、から少なくともなり、前記ガードポスト本体が衝撃を受けると、前記下部スプリングと前記上部スプリングとで衝撃力を吸収し、当該ガードポスト本体が前記支点部材を支点にして傾いた後に再び垂直に戻る構成である。
【０００９】
また、前記支点部材は、角鋼材であること、；
を含むものである。
【発明の効果】
【００１０】
本発明に係るガードポストによれば、ガードポスト本体がフォークリフト等と接触又は衝突によって衝撃を受けると、第２プレートが支点部材を支点にして傾くこととなる。この傾いた時に、第２プレートが下降した側の下部スプリングは収縮し、上部スプリングは伸張する。反対に第２プレートが上昇した側の下部スプリングは伸張し、上部スプリングは収縮する。
このように、下部スプリングと上部スプリングとが、収縮し又は伸張することによって、その衝撃力を吸収することとなり、そして、ガードポスト本体が支点部材を支点にして傾いた後に、下部スプリングと上部スプリングとの弾性力によって再び垂直に戻る。
従って、フォークリフト等がガードポストに当たっても、従来例のようにその衝撃でガードポストが曲がったり、傾いて床面が割れたり、脱落したりしないという優れた効果を奏する。
【００１１】
また、支点部材は、角鋼材であることによって、強度が高く頑丈なので第２プレートが傾いても破損や変形が生じない。また、上部が平らなのでガードポスト本体が常に垂直に立設するという種々の優れた効果を奏する。
【図面の簡単な説明】
【００１２】
【図１】本発明に係るガードポスト１１の正面図である。
【図２】図１のＡ−Ａ線断面図である。
【図３】図１のＢ−Ｂ線断面図である。
【図４】ガードポスト本体が１９が傾く状態を説明する正面図である。
【図５】従来例に係るガードポスト１の正面図である。
【発明を実施するための形態】
【００１３】
次に、本発明の実施の形態について図面を参照しながら説明する。まず、図１又は図４において、符号１１はガードポストを示し、このガードポスト１１は、複数本のアンカー１２で床面１３に固定され上面の四隅にネジ部材１４が立設する第１プレート１５と、第１プレート１５の中央部の近傍に設けられる支点部材１６と、支点部材１６の上部に載置されると共にネジ部材１４に挿通する孔部１７（図４参照）を有する第２プレート１８と、第２プレート１８の上面に立設する柱状又は円柱状のガードポスト本体１９と、ネジ部材１４に挿通し第１プレート１５と第２プレート１８との間に介在する下部スプリング２０と、ネジ部材１４に挿通し第２プレート１８の上部に設けられてナット２１で固着される上部スプリング２２とから構成される。
【００１４】
第１プレート１５は、鋼板で形成されて正方形状を呈しており、アンカー１２で床面１３に固定される。
また、第１プレート１５の上面の四隅には、ネジ部材１４が立設し、溶接手段で固定されている。
なお、アンカー１２は、エポキシ樹脂、有機系材料又は無機系材料からなる接着剤を注入するタイプの接着系アンカーであることが望ましい。この場合は、コンクリートと一体化して強度が向上する。
【００１５】
支点部材１６は、第１プレート１５の中央部の近傍に設けられ、溶接手段で固定されている。
この支点部材１６は短手の角鋼材を２本組み合わせて配設することが望ましい。この場合は、強度が高く頑丈なので第２プレート１８が傾いても破損や変形が生じない。また、上部が平らなのでガードポスト本体１９が常に垂直に立設する。
【００１６】
第２プレート１８は、鋼板で形成されて正方形状を呈しており、その四隅には、ネジ部材１４に挿通する孔部１７（図４参照）を有する。そして、第２プレート１８は支点部材１６の上部に載置される。
【００１７】
ガードポスト本体１９は、鋼製で柱状又は円柱状を呈しており、下端部１９ａを第２プレート１８の中央部に溶接手段で固定して一体に形成してなる。
【００１８】
下部スプリング２０は、コイルバネであって、ネジ部材１４に挿通した状態で、第１プレート１５と第２プレート１８との間に介在して配設される。従って、第２プレート１８が傾く時には、下部スプリング２０が収縮し又は伸張することとなる。
【００１９】
上部スプリング２２は、コイルバネであって、ネジ部材１４に挿通した状態で、第２プレート１８の上部に設けられる。従って、第２プレート１８が傾く時には、上部スプリング２２が収縮し又は伸張することとなる。
また、上部スプリング２２の上部は、ワッシャー２４を介してナット２１で固着されている。
【００２０】
以上のように構成されるガードポスト１１は、ガードポスト本体１９がフォークリフト等と接触又は衝突によって衝撃を受けると、第２プレート１８が支点部材１６を支点にして傾くこととなる（図４参照）。この傾いた時に、第２プレート１８が下降した側の下部スプリング２０は収縮し、上部スプリング２２は伸張する。反対に第２プレート１８が上昇した側の下部スプリング２０は伸張し、上部スプリング２２は収縮する。
このように、下部スプリング２０と上部スプリング２２とが、収縮し又は伸張することによって、その衝撃力を吸収することとなり、そして、ガードポスト本体１９が支点部材１６を支点にして傾いた後に、下部スプリング２０と上部スプリング２２との弾性力によって再び垂直に戻る（図４参照）。
従って、フォークリフト等がガードポストに当たっても、従来例のようにその衝撃でガードポスト１が曲がったり、傾いて床面が割れたり、脱落したりしない。
【符号の説明】
【００２１】
１    ガードポスト
２    ベースプレート
３    ガードポスト本体
４    アンカーボルト
５    床面
１１  ガードポスト
１２  アンカー
１３  床面
１４  ネジ部材
１５  第１プレート
１６  支点部材
１７  孔部
１８  第２プレート
１９  ガードポスト本体
１９ａ下端部
２０  下部スプリング
２１  ナット
２２  上部スプリング
２４  ワッシャー
【図１】
2017210784.tif 000003
【図２】
2017210784.tif 000004
【図３】
2017210784.tif 000005
【図４】
2017210784.tif 000006
【図５】
2017210784.tif 000007